(57)【要約】【課題】発信前に入力された電話番号の間違いをユーザに気付かせることができ、間違い電話を低減することができる。【解決手段】  Ｇｙｏｓｙｕ＿ｐａｓｔ２１１は、直近に発信した電話番号の業種を保持する。Ｇｙｏｓｙｕ＿ｈａｓｓｈｉｎ２１２は、ユーザにより入力された電話番号の業種を保持する。制御部２２０は、Ｇｙｏｓｙｕ＿ｈａｓｓｈｉｎ２１２に保持された入力された電話番号に対する業種とＧｙｏｓｙｕ＿ｐａｓｔ２１１に保持されている業種とが異なる場合に、入力された電話番号を１桁ずつ元の番号以外の番号に変更し、該変更した電話番号に対する業種とＧｙｏｓｙｕ＿ｐａｓｔ２１１に保持されている業種とが同一である場合に、入力された電話番号が間違いである可能性が高いことを表示部２４０でユーザに報知する。【選択図】図１
2013021644.tif 000002
【特許請求の範囲】
【請求項１】
直近に発信した電話番号の業種を保持する過去業種保持部と、
ユーザにより入力された電話番号の業種を保持する発信業種保持部と、
前記発信業種保持部に保持された前記入力された電話番号に対する業種と前記過去業種保持部に保持されている業種とが同一であるか否かを判定する第１の判定部と、
前記第１の判定部により、前記発信業種保持部に保持された前記入力された電話番号に対する業種と前記過去業種保持部に保持されている業種とが異なると判定された場合に、前記入力された電話番号を１桁ずつ元の番号以外の番号に変更し、該変更した電話番号に対する業種を取得する番号変更業種取得部と、
前記番号変更業種取得部より変更された電話番号に対して取得した業種と前記過去業種保持部に保持されている業種とが同一であるかを判定する第２の判定部と、
前記第２の判定部により、前記番号変更業種取得部より変更された電話番号に対して取得した業種と前記過去業種保持部に保持されている業種とが同一であると判定された場合に、前記入力された電話番号が間違いである可能性が高いことをユーザに報知する報知部と
を備えることを特徴とする通信装置。
【請求項２】
前記過去業種保持部は、過去３回、同じ業種に発信された場合に、その業種名を保持することを特徴とする請求項１に記載の通信装置。
【請求項３】
過去３回に発信された電話番号とその業種とを保持する発信履歴データベースを更に備え、
前記過去業種保持部は、前記発信履歴データベースに保持されている電話番号とその業種とを参照し、過去直近３回、同じ業種に発信された場合に、その業種名を保持することを特徴とする請求項２に記載の通信装置。
【請求項４】
全国の電話番号と対応する業種とを格納する業種データベースと、
前記入力された電話番号、及び前記番号変更業種取得部より変更された電話番号で、前記業種データベースを検索し、対応する業種を取得する業種取得部と
を更に備えることを特徴とする請求項１または２に記載の通信装置。
【請求項５】
直近に発信した電話番号の業種を保持する過去業種保持ステップと、
ユーザにより入力された電話番号の業種を保持する発信業種保持ステップと、
前記発信業種保持ステップで保持された、前記入力された電話番号に対する業種と前記過去業種保持ステップで保持された業種とが同一であるか否かを判定する第１の判定ステップと、
前記第１の判定ステップで、前記発信業種保持ステップで保持された、前記入力された電話番号に対する業種と前記過去業種保持ステップで保持された業種とが異なると判定された場合に、前記入力された電話番号を１桁ずつ元の番号以外の番号に変更し、該変更した電話番号に対する業種を取得する番号変更業種取得ステップと、
前記番号変更業種取得ステップで変更された電話番号に対して取得した業種と前記過去業種保持ステップで保持された業種とが同一であるかを判定する第２の判定ステップと、
前記第２の判定ステップで、前記番号変更業種取得ステップで変更された電話番号に対して取得した業種と前記過去業種保持ステップで保持された業種とが同一であると判定された場合に、前記入力された電話番号が間違いである可能性が高いことをユーザに報知する報知ステップと
を含むことを特徴とする誤発信報知方法。
【請求項６】
通信装置のコンピュータに、
直近に発信した電話番号の業種を保持する過去業種保持機能、
ユーザにより入力された電話番号の業種を保持する発信業種保持機能、
前記発信業種保持機能で保持された、前記入力された電話番号に対する業種と前記過去業種保持機能で保持された業種とが同一であるか否かを判定する第１の判定機能、
前記第１の判定機能で、前記発信業種保持機能で保持された、前記入力された電話番号に対する業種と前記過去業種保持機能で保持された業種とが異なると判定された場合に、前記入力された電話番号を１桁ずつ元の番号以外の番号に変更し、該変更した電話番号に対する業種を取得する番号変更業種取得機能、
前記番号変更業種取得機能で変更された電話番号に対して取得した業種と前記過去業種保持機能で保持された業種とが同一であるかを判定する第２の判定機能、
前記第２の判定機能で、前記番号変更業種取得機能で変更された電話番号に対して取得した業種と前記過去業種保持機能で保持された業種とが同一であると判定された場合に、前記入力された電話番号が間違いである可能性が高いことをユーザに報知する報知機能
を実行することを特徴とするプログラム。
【発明の詳細な説明】
【技術分野】
【０００１】
本発明は、通信装置、誤発信報知方法、及びプログラムに関する。
【背景技術】
【０００２】
従来、携帯電話を使って音声発信をする場合、一般的に電話番号を入力し、その後、発信ボタンを押下する。電話番号の入力は、人間が手で行うので誤りが発生しうる。誤った電話番号を入力した状態で、発信ボタンを押下すると、それは誤発信になってしまう。
【０００３】
例えば、特許文献１には、ユーザが電話番号を順次入力すると、その都度、予め電話番号を携帯電話のメモリ内に登録する「アドレス帳」の電話番号と逐次比較し、入力した電話番号が「アドレス帳」に含まれる可能性がある場合、モニタ色を変更する技術が開示されている。
【０００４】
また、特許文献２には、ユーザが電話番号を順次入力すると、その都度、「アドレス帳」の電話番号と逐次比較し、入力した電話番号が「アドレス帳」の電話番号と異なると、それに近い電話番号を表示する技術が開示されている。
【先行技術文献】
【特許文献】
【０００５】
【特許文献１】特開２００８−１２４９４３号公報
【特許文献２】特開平０７−０５８８２２号公報
【発明の概要】
【発明が解決しようとする課題】
【０００６】
しかしながら、上記特許文献１、２では、アドレス帳へ登録した電話番号に誤りがあれば、誤発信であるかの判定自体が不正確になり、結果として、誤発信が発生してしまうという問題があった。
【０００７】
また、例えば、旅行雑誌等を見ながら宿泊先に宿泊予約の電話をするような際に、同じような業者（この場合、ホテル）に対して予約がとれるまで連続して空きの確認電話を行うような場合がある。ホテル以外にも、交通機関の切符や、航空券、コンサートのチケットなどの購入や、予約なども考えられる。
【０００８】
この場合、その次の１件も同じ業者に電話する可能性は極めて高い。それにも関わらず、次の発信先が同じ業者ではなく、かつ、電話番号を一桁変えれば同じ業者になるのであれば、ユーザは「同じ業者に発信しようとしたのだが間違えた」という可能性が極めて高い。
【０００９】
しかしながら、上記特許文献１、２では、入力された電話番号とアドレス帳へ登録した電話番号とを比較するだけであるので、上述したように連続して同じ業者に電話するような場合に、誤発信を防ぐことができないという問題があった。
【００１０】
そこで本発明は、発信前に入力された電話番号の間違いをユーザに気付かせることができ、間違い電話を低減することができる通信装置、誤発信報知方法、及びプログラムを提供することを目的とする。
【課題を解決するための手段】
【００１１】
本発明の通信装置は、直近に発信した電話番号の業種を保持する過去業種保持部と、
ユーザにより入力された電話番号の業種を保持する発信業種保持部と、
前記発信業種保持部に保持された前記入力された電話番号に対する業種と前記過去業種保持部に保持されている業種とが同一であるか否かを判定する第１の判定部と、
前記第１の判定部により、前記発信業種保持部に保持された前記入力された電話番号に対する業種と前記過去業種保持部に保持されている業種とが異なると判定された場合に、前記入力された電話番号を１桁ずつ元の番号以外の番号に変更し、該変更した電話番号に対する業種を取得する番号変更業種取得部と、
前記番号変更業種取得部より変更された電話番号に対して取得した業種と前記過去業種保持部に保持されている業種とが同一であるかを判定する第２の判定部と、
前記第２の判定部により、前記番号変更業種取得部より変更された電話番号に対して取得した業種と前記過去業種保持部に保持されている業種とが同一であると判定された場合に、前記入力された電話番号が間違いである可能性が高いことをユーザに報知する報知部と
を備えることを特徴とする通信装置である。
【００１２】
本発明の誤発信報知方法は、直近に発信した電話番号の業種を保持する過去業種保持ステップと、
ユーザにより入力された電話番号の業種を保持する発信業種保持ステップと、
前記発信業種保持ステップで保持された、前記入力された電話番号に対する業種と前記過去業種保持ステップで保持された業種とが同一であるか否かを判定する第１の判定ステップと、
前記第１の判定ステップで、前記発信業種保持ステップで保持された、前記入力された電話番号に対する業種と前記過去業種保持ステップで保持された業種とが異なると判定された場合に、前記入力された電話番号を１桁ずつ元の番号以外の番号に変更し、該変更した電話番号に対する業種を取得する番号変更業種取得ステップと、
前記番号変更業種取得ステップで変更された電話番号に対して取得した業種と前記過去業種保持ステップで保持された業種とが同一であるかを判定する第２の判定ステップと、
前記第２の判定ステップで、前記番号変更業種取得ステップで変更された電話番号に対して取得した業種と前記過去業種保持ステップで保持された業種とが同一であると判定された場合に、前記入力された電話番号が間違いである可能性が高いことをユーザに報知する報知ステップと
を含むことを特徴とする誤発信報知方法である。
【００１３】
本発明のプログラムは、通信装置のコンピュータに、
直近に発信した電話番号の業種を保持する過去業種保持機能、
ユーザにより入力された電話番号の業種を保持する発信業種保持機能、
前記発信業種保持機能で保持された、前記入力された電話番号に対する業種と前記過去業種保持機能で保持された業種とが同一であるか否かを判定する第１の判定機能、
前記第１の判定機能で、前記発信業種保持機能で保持された、前記入力された電話番号に対する業種と前記過去業種保持機能で保持された業種とが異なると判定された場合に、前記入力された電話番号を１桁ずつ元の番号以外の番号に変更し、該変更した電話番号に対する業種を取得する番号変更業種取得機能、
前記番号変更業種取得機能で変更された電話番号に対して取得した業種と前記過去業種保持機能で保持された業種とが同一であるかを判定する第２の判定機能、
前記第２の判定機能で、前記番号変更業種取得機能で変更された電話番号に対して取得した業種と前記過去業種保持機能で保持された業種とが同一であると判定された場合に、前記入力された電話番号が間違いである可能性が高いことをユーザに報知する報知機能
を実行することを特徴とするプログラムである。
【発明の効果】
【００１４】
この発明によれば、発信前に入力された電話番号の間違いをユーザに気付かせることができ、間違い電話を低減することができる。
【図面の簡単な説明】
【００１５】
【図１】本発明の実施形態による携帯電話の構成を示すブロック図である。
【図２】本実施形態による業種ＤＢ３１０の構成を示す概念図である。
【図３】本実施形態による発信履歴ＤＢ４１０の構成を示す概念図である。
【図４】本実施形態による携帯電話の動作を説明するためのフローチャートである。
【図５】本実施形態による携帯電話の動作を説明するためのフローチャートである。
【図６】付記１の構成図である。
【発明を実施するための形態】
【００１６】
本発明は、発信時における、電話番号の誤入力を提示することにより、ユーザは、発信前に自身が入力した電話番号の間違いに気がつき、不要な発信を抑制することが可能となる。
【００１７】
以下、本発明の実施の形態を、図面を参照して説明する。
【００１８】
図１は、本発明の実施形態による携帯電話の構成を示すブロック図である。図において、本発明に係る携帯電話は、主記憶部２１０、制御部２２０、入力部２３０、表示部２４０から構成される。主記憶部２１０は、Ｇｙｏｓｙｕ＿ｐａｓｔ２１１、Ｇｙｏｓｙｕ＿ｈａｓｓｈｉｎ２１２、Ｄｅｎｂａｎ＿ｈａｓｓｈｉｎ２１４、Ｄｅｎｂａｎ＿ｚｅｎｇｏ２１５、Ｇｙｏｓｙｕ＿ｚｅｎｇｏ２１３、業種ＤＢ（データベース）３１０、発信履歴ＤＢ（データベース）４１０を備えている。
【００１９】
Ｇｙｏｓｙｕ＿ｐａｓｔ２１１は、過去３回、同じ業種に発信された場合には、その業種名が格納され、それ以外の場合には、ＮＵＬＬが格納される。Ｇｙｏｓｙｕ＿ｈａｓｓｈｉｎ２１２は、ユーザが発信した電話番号に対応する業種名を格納するために使用される。
【００２０】
Ｄｅｎｂａｎ＿ｈａｓｓｈｉｎ２１４は、ユーザが発信時の電話番号を格納するために使用される。Ｄｅｎｂａｎ＿ｚｅｎｇｏ２１５は、Ｄｅｎｂａｎ＿ｈａｓｓｈｉｎ２１４のうち、１桁を別の数字に変更した値を格納するために使用される。Ｇｙｏｓｙｕ＿ｚｅｎｇｏ２１３は、Ｄｅｎｂａｎ＿ｚｅｎｇｏ２１５に対応する業種名を格納するために使用される。
【００２１】
業種ＤＢ３１０は、図２に示すように、全国の電話番号と対応する業種とを格納しているテーブルである。図２に示す例では、電話番号「１１−１１１１−１１１１」には、業種「スーパー」が対応しており、電話番号「２２−２２２２−２２２２」には、業種「ホテル」が対応し、電話番号「３３−３３３３−３３３３」には、業種「レストラン」が対応し、電話番号「４４−４４４４−４４４４」には、業種「コンビニ」が対応し、電話番号「５５−５５５５−５５５５」には、業種「不動産屋」が対応している。
【００２２】
発信履歴ＤＢ４１０は、図３に示すように、過去の発信先一覧であり、Ｎｏ．１〜３の３件分を記憶し、Ｎｏ．１の方が新しくＮｏ．３の方が古い。図３に示す例では、Ｎｏ．１には、直近に発信された電話番号「１１−１１１１−１１１１」、業種「スーパー」、Ｎｏ．２には、その前に発信された電話番号「２２−２２２２−２２２２」、業種「ホテル」、Ｎｏ．３には、最も古くに発信された電話番号「３３−３３３３−３３３３」、業種「レストラン」が記憶されている。
【００２３】
制御部２２０は、主記憶部２１０、入力部２３０、及び表示部２４０を制御する。入力部２３０は、発信ボタン２３１、及び数字ボタン２３２を備えている。表示部２４０は、入力部２３０で入力された電話番号や、誤発信である旨のメッセージなどを表示する。
【００２４】
次に、上述した実施形態の動作について説明する。
図４、及び図５は、本実施形態による携帯電話の動作を説明するためのフローチャートである。まず、初期処理として、Ｇｙｏｓｙｕ＿ｐａｓｔ２１１をＮＵＬＬにセットする（ステップＳ１０）。その後、携帯電話は待ち受け状態となる（ステップＳ１０２）。次に、ユーザにより電話番号が入力済みであるか否かを判定し（ステップＳ１４）、電話番号が入力済みでない場合（ステップＳ１４のＮＯ）、ユーザによる数字ボタン２３２の押下を待つ。
【００２５】
一方、ユーザにより数字ボタン２３２が押下され、電話番号が入力されると（ステップＳ１４のＹＥＳ）、ユーザにより発信ボタン２３１が押下されたか否かを判定する（ステップＳ１６）。そして、発信ボタン２３１が押下されていない場合には（ステップＳ１６のＮＯ）、発信ボタン２３１の押下を待つ。
【００２６】
一方、ユーザにより発信ボタン２３１が押下された場合には（ステップＳ１６のＹＥＳ）、入力された電話番号をＤｅｎｂａｎ＿ｈａｓｓｈｉｎ２１４へ格納する（ステップＳ１８）。続いて、Ｄｅｎｂａｎ＿ｈａｓｓｈｉｎ２１４に格納した電話番号で、業種ＤＢ３１０を検索し、ヒットした業種をＧｙｏｓｙｕ＿ｈａｓｓｈｉｎ２１２へ格納する（ステップＳ２０）。この時点で、ユーザが入力した電話番号に対する業種が特定されたことになる。
【００２７】
次に、Ｇｙｏｓｈｕ＿ｐａｓｔ２１１に格納されている業種とＧｙｏｓｙｕ＿ｈａｓｓｉｎ２１２に格納されたユーザが入力した電話番号に対する業種とが同一であるか判定する（ステップＳ２２）。ここで、Ｇｙｏｓｙｕ＿ｐａｓｔ２１１に格納されている業種とＧｙｏｓｙｕ＿ｈａｓｓｈｉｎ２１２に格納されたユーザが入力した電話番号に対する業種とが同一である場合には（ステップＳ２２のＹＥＳ）、ステップＳ２４〜Ｓ３２を実施せず、図５のステップＳ３４へと移動する。
【００２８】
一方、Ｇｙｏｓｙｕ＿ｐａｓｔ２１１に格納されている業種とＧｙｏｓｙｕ＿ｈａｓｓｈｉｎ２１２に格納されたユーザが入力した電話番号に対する業種とが異なる場合には（ステップＳ２２のＮＯ）、変数ｉを０から１つずつインクリメントしながら（ステップＳ２４）、変数ｉが、Ｄｅｎｂａｎ＿ｈａｓｓｈｉｎに格納されている電話番号の桁数に達するまで、ステップＳ２６〜Ｓ３２を繰り返し実行する。
【００２９】
まず、Ｄｅｎｂａｎ＿ｈａｓｓｈｉｎ２１４に格納されている、ユーザが入力した電話番号のｉ桁目を元の番号以外の別の番号（０〜９）に変更し、それをＤｅｎｂａｎ＿ｚｅｎｇｏ２１５へ格納する（ステップＳ２６）。次に、Ｄｅｎｂａｎ＿ｚｅｎｇｏ２１５に格納されている、変更された電話番号で、業種ＤＢ４１０を検索し、ヒットした業種をＧｙｏｓｙｕ＿ｚｅｎｇｏ２１３に格納する（ステップＳ２８）。
【００３０】
次に、Ｇｙｏｓｙｕ＿ｐａｓｔ２１１に格納されている業種とＧｙｏｓｙｕ＿ｚｅｎｇｏ２１３に格納されている業種とが同一であるか否かを判定する（ステップＳ３０）。そして、Ｇｙｏｓｙｕ＿ｐａｓｔ２１１に格納されている業種とＧｙｏｓｙｕ＿ｚｅｎｇｏ２１３に格納されている業種とが異なる場合には（ステップＳ３０のＮＯ）、さらに、変数ｉをインクリメントし、Ｄｅｎｂａｎ＿ｈａｓｓｈｉｎ２１４のｉ桁目を別の番号に変更し、同様の処理を繰り返す（ステップＳ２６〜３０）。すなわち、Ｄｅｎｂａｎ＿ｈａｓｓｈｉｎ２１４に格納されている、ユーザが入力した電話番号の１桁目、２桁目、３桁目、…、最終桁まで順次桁をずらして同様の処理を実行する。
【００３１】
一方、Ｇｙｏｓｙｕ＿ｐａｓｔ２１１に格納されている業種とＧｙｏｓｙｕ＿ｚｅｎｇｏ２１３に格納されている業種とが同一となった場合には（ステップＳ３０のＹＥＳ）、ユーザが入力を間違えた可能性が高いため、「番号を間違えていませんか？」と誤発信である可能性があることを、入力された電話番号とともに表示部２４０に表示し（ステップＳ３２）、その後、ステップＳ１２の待ち受け状態に戻る。
【００３２】
つまり、直近に、ある特定のジャンルＡ（例：旅館）の電話番号に対してばかり発信していたにも関わらず、突然異なるジャンルＢの電話番号に発信し、かつ、一桁変更すれば元のジャンルＡの電話番号になる場合には、入力した電話番号に誤りがある可能性が高いので、入力間違いであることをユーザに指摘することで、発信前に自身が入力した電話番号の間違いをユーザに気付かせることができ、間違い電話を低減することができる。
【００３３】
一方、最後まで繰り返しても、Ｇｙｏｓｙｕ＿ｐａｓｔ２１１に格納されている業種とＧｙｏｓｙｕ＿ｚｅｎｇｏ２１３に格納されている業種とが同じで無かった場合には（ステップＳ２４によるループの終了）、ユーザは意図的に異なるジャンルの電話番号を入力したものとみなし、誤発信である可能性がある旨のメッセージを表示させずに、図５のステップＳ３４に進む。
【００３４】
ステップＳ３４では、発信履歴ＤＢ４１０を更新する。具体的には、Ｎｏ．２に格納されているデータをＮｏ．３のエリアへコピー、Ｎｏ．１に格納されているデータをＮｏ．２のエリアにコピー、Ｄｅｎｂａｎ＿ｈａｓｓｈｉｎ２１４、及びＧｙｏｓｙｕ＿ｈａｓｓｈｉｎ２１２をＮｏ．１のエリアにコピーする。
【００３５】
次に、発信履歴ＤＢ４１０内の業種が全て同じであるか否かを判定する（ステップＳ３６）。そして、発信履歴ＤＢ４１０内の全ての業種（Ｎｏ．１の業種＝Ｎｏ．２の業種＝Ｎｏ．３の業種）が同じ場合には（ステップＳ３６のＹＥＳ）、過去３回連続して同じ業種に発信していると言えるので、その業種名をＧｙｏｓｙｕ＿ｐａｓｔ２１１へ格納する（ステップＳ４０）。一方、発信履歴ＤＢ４１０内の業種が１つでも違えば（ステップＳ３６のＮＯ）、ＮＵＬＬ値をＧｙｏｓｙｕ＿ｐａｓｔ２１１へ格納する（ステップＳ３８）。
【００３６】
いずれの場合も、最後に、Ｄｅｎｂａｎ＿ｈａｓｓｈｉｎ２１４に格納されている電話番号で発信処理を実行する（ステップＳ４２）。その後、通話処理などに進み、図４のステップＳ１２の待ち受け状態に戻る。
【００３７】
上述した実施形態によれば、発信前に入力された電話番号の間違いをユーザに気付かせることができ、間違い電話を低減することができる。
【００３８】
なお、上述した実施形態において、業種ＤＢは、可能な限り最新の情報を保持することが望ましく、また、データ量も膨大になるので、携帯電話に備えるのではなく、インターネットや、通信回線上に備えられ、携帯電話からのアクセスに応じて、検索結果を返すようにしてもよい。
【００３９】
以下、本発明の特徴を付記する。
上記の実施形態の一部又は全部は、以下の付記のようにも記載されうるが、以下には限られない。
（付記１）
図６は、付記１の構成図である。この図に示すように、付記１記載の発明は、
直近に発信した電話番号の業種を保持する過去業種保持部５００と、
ユーザにより入力された電話番号の業種を保持する発信業種保持部５０１と、
前記発信業種保持部５０１に保持された前記入力された電話番号に対する業種と前記過去業種保持部５００に保持されている業種とが同一であるか否かを判定する第１の判定部５０２と、
前記第１の判定部５０２により、前記発信業種保持部５０１に保持された前記入力された電話番号に対する業種と前記過去業種保持部５００に保持されている業種とが異なると判定された場合に、前記入力された電話番号を１桁ずつ元の番号以外の番号に変更し、該変更した電話番号に対する業種を取得する番号変更業種取得部５０３と、
前記番号変更業種取得部５０３より変更された電話番号に対して取得した業種と前記過去業種保持部５００に保持されている業種とが同一であるかを判定する第２の判定部５０４と、
前記第２の判定部５０４により、前記番号変更業種取得部５０３より変更された電話番号に対して取得した業種と前記過去業種保持部５００に保持されている業種とが同一であると判定された場合に、前記入力された電話番号が間違いである可能性が高いことをユーザに報知する報知部５０５と
を備えることを特徴とする通信装置である。
【００４０】
（付記２）
前記過去業種保持部は、過去３回、同じ業種に発信された場合に、その業種名を保持することを特徴とする付記１に記載の通信装置である。
【００４１】
（付記３）
過去３回に発信された電話番号とその業種とを保持する発信履歴データベースを更に備え、
前記過去業種保持部は、前記発信履歴データベースに保持されている電話番号とその業種とを参照し、過去直近３回、同じ業種に発信された場合に、その業種名を保持することを特徴とする付記２に記載の通信装置である。
【００４２】
（付記４）
全国の電話番号と対応する業種とを格納する業種データベースと、
前記入力された電話番号、及び前記番号変更業種取得部より変更された電話番号で、前記業種データベースを検索し、対応する業種を取得する業種取得部と
を更に備えることを特徴とする付記１または２に記載の通信装置である。
【００４３】
（付記５）
直近に発信した電話番号の業種を保持する過去業種保持ステップと、
ユーザにより入力された電話番号の業種を保持する発信業種保持ステップと、
前記発信業種保持ステップで保持された、前記入力された電話番号に対する業種と前記過去業種保持ステップで保持された業種とが同一であるか否かを判定する第１の判定ステップと、
前記第１の判定ステップで、前記発信業種保持ステップで保持された、前記入力された電話番号に対する業種と前記過去業種保持ステップで保持された業種とが異なると判定された場合に、前記入力された電話番号を１桁ずつ元の番号以外の番号に変更し、該変更した電話番号に対する業種を取得する番号変更業種取得ステップと、
前記番号変更業種取得ステップで変更された電話番号に対して取得した業種と前記過去業種保持ステップで保持された業種とが同一であるかを判定する第２の判定ステップと、
前記第２の判定ステップで、前記番号変更業種取得ステップで変更された電話番号に対して取得した業種と前記過去業種保持ステップで保持された業種とが同一であると判定された場合に、前記入力された電話番号が間違いである可能性が高いことをユーザに報知する報知ステップと
を含むことを特徴とする誤発信報知方法である。
【００４４】
（付記６）
通信装置のコンピュータに、
直近に発信した電話番号の業種を保持する過去業種保持機能、
ユーザにより入力された電話番号の業種を保持する発信業種保持機能、
前記発信業種保持機能で保持された、前記入力された電話番号に対する業種と前記過去業種保持機能で保持された業種とが同一であるか否かを判定する第１の判定機能、
前記第１の判定機能で、前記発信業種保持機能で保持された、前記入力された電話番号に対する業種と前記過去業種保持機能で保持された業種とが異なると判定された場合に、前記入力された電話番号を１桁ずつ元の番号以外の番号に変更し、該変更した電話番号に対する業種を取得する番号変更業種取得機能、
前記番号変更業種取得機能で変更された電話番号に対して取得した業種と前記過去業種保持機能で保持された業種とが同一であるかを判定する第２の判定機能、
前記第２の判定機能で、前記番号変更業種取得機能で変更された電話番号に対して取得した業種と前記過去業種保持機能で保持された業種とが同一であると判定された場合に、前記入力された電話番号が間違いである可能性が高いことをユーザに報知する報知機能
を実行することを特徴とするプログラムである。
【符号の説明】
【００４５】
２１０  主記憶部
２１１  Ｇｙｏｓｙｕ＿ｐａｓｔ
２１２  Ｇｙｏｓｙｕ＿ｈａｓｓｈｉｎ
２１３  Ｇｙｏｓｙｕ＿ｚｅｎｇｏ
２１４  Ｄｅｎｂａｎ＿ｈａｓｓｈｉｎ
２１５  Ｄｅｎｂａｎ＿ｚｅｎｇｏ
３１０  業種ＤＢ
４１０  発信履歴ＤＢ
２２０  制御部
２３０  入力部
２３１  発信ボタン
２３２  数字ボタン
２４０  表示部
【図１】
2013021644.tif 000003
【図２】
2013021644.tif 000004
【図３】
2013021644.tif 000005
【図４】
2013021644.tif 000006
【図５】
2013021644.tif 000007
【図６】
2013021644.tif 000008